(57)【要約】【課題】  １つのレールを別のレールに取り付ける際の安定性を改善可能なスライドレールアセンブリを提供することを提供すること。【解決手段】  スライドレールアセンブリは第１のレール、第２のレール、摺動支援装置、係合部材及び支持構造を含む。摺動支援装置は第１のレールと第２のレールとの相対移動を支援するように構成されている。係合部材及び支持構造は第１のレールに設けられる。第２のレールは引っ込め位置から第１の方向に沿って動かして第１のレールから取り外すことができる。第２のレールが第１の方向に沿って動かされて第１のレールから取り外されると、摺動支援装置は係合部材に隣接するように移動する。第２のレールを第１のレールの通路入口から引っ込め位置の方向に第２の方向に沿って動かすプロセスの間、支持構造は第２のレールを支持するように構成され、第１の方向に沿って係合部材を越えて伸長する。【選択図】  図４
2020039847.tif 000002
【特許請求の範囲】
【請求項１】
スライドレールアセンブリであって、
上壁、下壁及び該上壁と該下壁との間に接続される長手壁とを含む第１のレールであって、該上壁、該下壁及び該長手壁により通路が定義される、第１のレールと、
前記第１のレールの通路内で可動に取り付けられる第２のレールと、
前記第１のレールと前記第２のレールとの相対移動を支援するように構成された摺動支援装置と、
前記第１のレールの長手壁の第１の領域に設けられる係合部材と、
前記第１のレールの長手壁の第２の領域に設けられるブロック構造と、
前記第１のレールに設けられる少なくとも１つの支持構造と、
を含み、
前記第１の領域及び前記第２の領域は前記第１のレールの長手方向に沿って所定の長手距離だけ互いに離間し、前記第１の領域は前記第２の領域よりも前記通路の通路入口から遠くに位置する、スライドレールアセンブリ。
【請求項２】
前記第２のレールに接続される第１の作用部材をさらに含み、
前記第２のレールが前記第１のレールに対して引っ込め位置から開位置に第１の方向に沿って動かされた場合、前記第２のレールが該開位置から該第１の方向に沿って動くのを防止するために、前記第２のレールは所定の状態にある前記第１の作用部材を通じて前記ブロック構造によってブロックされるように構成され、
前記第１の作用部材が操作されてもはや前記所定の状態にない場合、前記第２のレールは前記開位置から前記第１の方向に沿って前記第１のレールの通路の外に出るよう移動可能であり、
前記第２のレールを前記第１のレールに対して前記引っ込め位置から前記第１の方向に沿って前記第１のレールの通路の外に出るように動かすプロセスの間、前記摺動支援装置は、前記第２のレールの動きに対応して前記係合部材と係合するように構成され、
前記第２のレールを前記第１のレールの通路の外から前記引っ込め位置の方に第２の方向に沿って前記第１のレールの通路入口を通って動かすプロセスの間、前記少なくとも１つの支持構造は前記第２のレールを支持するように構成されている、請求項１に記載のスライドレールアセンブリ。
【請求項３】
前記摺動支援装置は、前記第２のレールの移動に対応して前記係合部材の係合アームと係合するために移動するよう構成され、
前記少なくとも１つの支持構造は前記第２のレールを支持するように構成された支持区画を含み、該支持区画は第１の端部及び第２の端部を有し、該第１の端部は前記係合部材の近くにあり、該第２の端部は前記ブロック構造の近くにある、請求項２に記載のスライドレールアセンブリ。
【請求項４】
前記少なくとも１つの支持構造はガイド部を含み、該ガイド部は、前記第２のレールが前記第１のレールの通路入口から前記第１のレールの通路に入るのをガイドするように構成された傾斜面又は弧面を有する、請求項２に記載のスライドレールアセンブリ。
【請求項５】
前記第１の作用部材は前記第２のレールに枢結され、前記スライドレールアセンブリは前記第１の作用部材に弾性力を提供するように構成された第１の弾性部を有する弾性ベースと、前記第２のレールに枢結される第２の作用部材とをさらに含み、
前記弾性ベースは前記第２の作用部材に弾性力を提供するように構成された第２の弾性部をさらに有し、
前記第２のレールが前記第１のレールに対して前記開位置に位置している場合、前記第１の作用部材及び前記第２の作用部材は前記ブロック構造の対向する２つの側にそれぞれ位置するように構成されている、請求項２に記載のスライドレールアセンブリ。
【請求項６】
前記第１のレールの上壁及び下壁にそれぞれ隣接して設けられ、前記第２のレールの対向する２つの部分を支持するように構成された２つの支持構造を含む、請求項２に記載のスライドレールアセンブリ。
【請求項７】
前記支持構造はそれぞれは前記第１のレールの対応部分に取り付けられるように構成された取り付け構造を有し、
前記スライドレールアセンブリは前記第１のレールの長手壁に取り付けられる固定ベースをさらに含み、該固定ベースは前記支持構造のそれぞれを押圧するように構成され、
前記ブロック構造は前記固定ベースに設けられ、前記ブロック構造は前記第１のレールの長手壁に対して横方向に突出している、請求項６に記載のスライドレールアセンブリ。
【請求項８】
スライドレールアセンブリであって、
通路を有する第１のレールと、
前記第１のレールの通路内で可動に取り付けられる第２のレールと、
前記第１のレールと前記第２のレールとの相対移動を支援するように構成された摺動支援装置と、
前記第１のレールに設けられる係合部材と、
前記第１のレールに設けられる少なくとも１つの支持構造と、
を含み、
前記第２のレールは前記第１のレールに対して引っ込め位置から第１の方向に沿って前記第１のレールの通路の外に出るように移動可能であり、
前記第２のレールを前記第１のレールに対して前記引っ込め位置から前記第１の方向に沿って前記第１のレールの通路の外に出るよう動かすプロセスの間、前記摺動支援装置は、前記第２のレールの動きに対応して前記係合部材の係合アームの係合部に隣接するように移動するように構成され、
前記第２のレールを前記第１のレールの通路の外から前記引っ込め位置の方に第２の方向に沿って前記第１のレールの通路入口を通って動かすプロセスの間、前記少なくとも１つの支持構造の支持区画は前記第２のレールを支持するように構成され、
前記少なくとも１つの支持構造の支持区画は第１の端部及び第２の端部を有し、該第２の端部は前記第１の方向に沿って前記係合部材を所定の距離越えて伸長している、スライドレールアセンブリ。
【請求項９】
前記係合部材の係合アームの係合部は前記第１の方向に沿って前記少なくとも１つの支持構造の支持区画の第１の端部を越えて伸長し、
前記摺動支援装置は、前記第２のレールの動きに対応して前記係合部材の係合アームの係合部と係合するように構成されている、請求項８に記載のスライドレールアセンブリ。
【請求項１０】
前記少なくとも１つの支持構造の支持区画の長さは前記係合部材の係合アームの長さの少なくとも２倍大きい、請求項８に記載のスライドレールアセンブリ。
【発明の詳細な説明】
【技術分野】
【０００１】
本発明はスライドレールアセンブリに関し、より具体的には確かな品質のスライドレールアセンブリに関する。
【背景技術】
【０００２】
特許文献１にはベアリングリテーナ及びガイドブロックを備えるスライドレールアセンブリが開示されている。スライドレールアセンブリは外側スライド部材（１１）、中間スライド部材（２１）及び内側スライド部材（３１）を含む。ベアリングリテーナ（４１）は内側スライド部材（３１）と中間スライド部材（２１）との間に配置され、ベアリングリテーナ（４１）はガイドブロック（６８）の凹部（６７）と係合する突起（６３）を有する。
【０００３】
特許文献２には、第１のトラック（１０）、第２のトラック（２０）及び第１のトラック（１０）と第２のトラック（２０）との間に配置される摺動支援部材（３０）を含むスライドレールアセンブリが開示されている。第２のトラック（２０）が開方向に沿って第１のトラック（１０）から取り外された場合、第１のトラック（１０）に設けられる保持部材（４０）のフック（４３）は摺動支援部材（３０）を開位置で保持するために摺動支援部材（３０）のフック（３２）と係合するように構成されている。そのため、第２のトラック（２０）が第１のトラック（１０）の通路の外側から第１のトラック（１０）の通路内に再挿入された場合、摺動支援部材（３０）は第２のトラック（２０）の特定部分を支持することができる。
【０００４】
図１及び図２は、先行技術のスライドレールアセンブリを示す図である。図１及び図２に示すように、先行技術のスライドレールアセンブリ１００は第１のレール１０２、第１のレール１０２に対して長手方向に可動な第２のレール１０４、第１のレール１０２に対する第２のレール１０４の動きの滑らかさを改善するために、第１のレール１０２と第２のレール１０４との間に配置されるボール装置１０６を含む。領域Ａの直径は、係合部材１０８の弾性アーム１０９の長さＫ１によって定義される。領域Ａは係合部材１０８と、第１のレール１０２の前端１０２ａに隣接するブロックベース１１０とに設けられる。２つのガイドバー１１２は、領域Ａの両側に実質的に位置する。さらに、係合部材１０８の弾性アーム１０９は、ボール装置１０６を１つの位置で一時的に保持するためにボール装置１０６のフック１０７と係合するように構成されている。他方、第２のレール１０４が第１のレール１０２に対して開位置に位置している場合、ブロックベース１１０のブロック部１１１は、第２のレール１０４が開方向に沿って開位置から動くのを防止するために第２のレール１０４の回転ブロック部材（図示せず）をブロックするように構成されている。回転ブロック部材がブロックベース１１０によってもはやブロックされないように操作されると、第２のレール１０４は、第１のレール１０２の通路から外れるように開方向に沿ってさらに動かすことができる。
【先行技術文献】
【特許文献】
【０００５】
【特許文献１】米国特許第６２５４２１０号明細書
【特許文献２】米国特許第６８５１７７３号明細書
【発明の概要】
【発明が解決しようとする課題】
【０００６】
第２のレール１０４を第１のレール１０２の外側から第１のレール１０２の通路内に引っ込め方向Ｄに沿ってユーザーが再度取り付ける場合、第２のレール１０４のレスト部が引っ込め方向Ｄに沿って第１のレール１０２の通路内に徐々に入ってボール装置１０６によりさらに支持されるようにするのを支援するために第２のレール１０４の端部の上壁及び下壁を予め支持するのに２つのガイドバー１１２を用いることができる。。係合部材１０８及びブロックベース１１０は同じ領域Ａ内に配置されているため、ボール装置１０６が係合部材１０８の弾性アーム１０９と係合した場合にボール装置１０６は第１のレール１０２の領域Ａの近くにある。そのため、ガイドバー１１２の長手方向の長さが短すぎると、ガイドバー１１２によって支持される第２のレール１０４の端部は支持が不十分なことにより不安定となり得る。そのような状態では、第２のレール１０４の端部１０４ａは、僅かな偏向によりボール装置１０６のボール１０６ａ又は前部に影響を与え得る。そのため、ボール装置１０６が変形するか又は破損することがある。あるいは、ガイドバー１１２の長手方向の長さが短すぎると、ボール装置１０６によって支持される第２のレール１０４の端部は、ボール１０６ａとレールとの間の公差によって揺れやすくなり、第１のレール１０２に取り付けられる第２のレール１０４の滑らかさが影響を受ける。したがって、異なるスライドレール製品を開発することが重要である。
【０００７】
本発明は、１つのレールを別のレールに取り付ける際の安定性を改善可能なスライドレールアセンブリに関する。
【課題を解決するための手段】
【０００８】
本発明の一実施形態によれば、スライドレールアセンブリは第１のレール、第２のレール、摺動支援装置、係合部材、ブロック構造及び少なくとも１つの支持構造を含む。第１のレールは上壁、下壁及び該上壁と該下壁との間に接続される長手壁とを含む。該上壁、該下壁及び該長手壁により通路が定義される。第２のレールは第１のレールの通路内で可動に取り付けられる。摺動支援装置は第１のレールと第２のレールとの相対移動を支援するように構成されている。係合部材は第１のレールの長手壁の第１の領域に設けられる。ブロック構造は第１のレールの長手壁の第２の領域に設けられる。少なくとも１つの支持構造は第１のレールに設けられる。第１の領域及び第２の領域は第１のレールの長手方向に沿って所定の長手距離だけ互いに離間し、第１の領域は第２の領域よりも通路の通路入口から遠くに位置する。
【０００９】
本発明の別の実施形態によれば、スライドレールアセンブリは第１のレール、第２のレール、摺動支援装置、係合部材及び少なくとも１つの支持構造を含む。第１のレールは通路を有する。第２のレールは第１のレールの通路内で可動に取り付けられる。摺動支援装置は第１のレールと第２のレールとの相対移動を支援するように構成されている。係合部材は第１のレールに設けられる。少なくとも１つの支持構造は第１のレールに設けられる。第２のレールは第１のレールに対して引っ込め位置から第１の方向に沿って第１のレールの通路の外に出るように移動可能である。第２のレールを第１のレールに対して引っ込め位置から第１の方向に沿って第１のレールの通路の外に出るよう動かすプロセスの間、摺動支援装置は、第２のレールの動きに対応して係合部材の係合アームの係合部に隣接するように移動するように構成されている。第２のレールを第１のレールの通路の外から引っ込め位置の方に第２の方向に沿って第１のレールの通路入口を通って動かすプロセスの間、少なくとも１つの支持構造の支持区画は第２のレールを支持するように構成されている。少なくとも１つの支持構造の支持区画は第１の端部及び第２の端部を有し、該第２の端部は第１の方向に沿って係合部材を所定の距離越えて伸長している。
【００１０】
様々な図面に図示する下記の好ましい実施形態の詳細な説明を読み終えた後、本発明の上記の目的及び他の目的が当業者に間違いなく明らかになる。
【図面の簡単な説明】
【００１１】
【図１】図１は、先行技術のスライドレールアセンブリの第１のレールの通路に取り付けられる第２のレールを示す図である。
【図２】図２は、先行技術のスライドレールアセンブリの第１のレールの通路に第２のレールを取り付けるプロセスを示す図である。
【図３】図３は、本発明の一実施形態に係る、ラックに取り付けられたスライドレールアセンブリを示す図である。
【図４】図４は、本発明の一実施形態に係るスライドレールアセンブリの分解図である。
【図５】図５は、本発明の一実施形態に係るスライドレールアセンブリを示す図である。
【図６】図６は、本発明の一実施形態に係る引っ込められた状態にあるスライドレールアセンブリを示す図である。
【図７】図７は、本発明の一実施形態に係る、第１のレールに対して第１の方向に沿って開位置の方に動かされたスライドレールアセンブリの第２のレールを示す図である。
【図８】図８は、本発明の一実施形態に係る、第１のレールに対して第１の方向にさらに動かされたスライドレールアセンブリの第２のレールを示す図である。
【図９】図９は、本発明の一実施形態に係る、第１のレールに対して開位置に位置するスライドレールアセンブリの第２のレールを示す図である。
【図１０】図１０は、本発明の一実施形態に係る、第１のレールに対して開位置から第１の方向にさらに動かされたスライドレールアセンブリの第２のレールを示す図である。
【図１１】図１１は、本発明の一実施形態に係る、第１のレールから取り外されたスライドレールアセンブリの第２のレールを示す図である。
【図１２】図１２は、本発明の一実施形態に係る、第２の方向に沿って第１のレールの通路内に取り付けられたスライドレールアセンブリの第２のレールを示す図である。
【図１３】図１３は、本発明の一実施形態に係る、第１のレールの通路にスライドレールアセンブリの第２のレールを取り付けるプロセスを示す図である。
【発明を実施するための形態】
【００１２】
図３に示すように、本発明の一実施形態に係るスライドレールアセンブリ２０は、第１のレール２２と、第１のレール２２に可動に取り付けられる第２のレール２４とを含む。本実施形態では、第１のレール２２はブラケット２１に接続される。ブラケット２１は少なくとも１つの取り付け部、例えばラックの第１のポスト２８ａ、第２のポスト２８ｂ及び第３のポスト２８ｃの孔をそれぞれ貫通するように構成された第１の取り付け部２６ａ、第２の取り付け部２６ｂ及び第３の取り付け部２６ｃを備える。
【００１３】
図４及び図５に示すように、第１のレール２２は通路２３を有する。第１のレール２２は上壁２２ａ、下壁２２ｂ及び上壁２２ａと下壁２２ｂとの間に接続される長手壁２２ｃを含む。上壁２２ａ、下壁２２ｂ及び長手壁２２ｃにより通路２３が定義されている。他方、第２のレール２４は第１のレール２２の通路２３に可動に取り付けられる。第２のレール２４は上壁２４ａ、下壁２４ｂ及び上壁２４ａと下壁２４ｂとの間に接続される長手壁２４ｃを含む。第２のレール２４の上壁２４ａ、下壁２４ｂ及び長手壁２４ｃは、第１のレール２２の上壁２２ａ、下壁２２ｂ及び長手壁２２ｃにそれぞれ対応する。
【００１４】
さらに、スライドレールアセンブリ２０は、摺動支援装置３０、係合部材３２及び少なくとも１つの支持構造３４を含む。スライドレールアセンブリ２０はブロック構造３６、第１の作用部材３８、弾性ベース４０、第２の作用部材４２及び接続ベース４４をさらに含む。
【００１５】
摺動支援装置３０は第２のレール２４と第１のレール２２との相対移動を支援するように構成されている。摺動支援装置３０は第１のレール２２の通路２３内に可動に取り付けられ、ホルダーを含む。ホルダーは上側支持壁４６ａ、下側支持壁４６ｂ及び上側支持壁４６ａと下側支持壁４６ｂとの間に接続される側壁４６ｃを有する。上側支持壁４６ａ及び下側支持壁４６ｂには、第１のレール２２及び第２のレール２４の間に支持を提供するように構成された複数の回転部材４８（例えばボール又はローラー）がそれぞれ設けられている。摺動支援装置３０の上側支持壁４６ａに設けられ回転部材は、視角の関係で図示されていない。
【００１６】
係合部材３２及びブロック構造３６は、第１のレール２２に配置されている。具体的には、係合部材３２及びブロック構造３６は第１のレール２２の長手壁２２ｃの２つの異なる位置にそれぞれ配置されている。係合部材３２は第１のレール２２に接続されている。本実施形態では、係合部材３２は第１のレール２２の長手壁２２ｃに固定されている。係合部材３２は係合アーム３２ａと、係合アーム３２ａに配置される係合部３２ｂとを含む。係合アーム３２ａは弾性アームであり、係合部３２ｂは係合アーム３２ａの端部に隣接していることが好ましい。他方、ブロック構造３６は第１のレール２２の長手壁２２ｃに一体的に設けられ、第１のレール２２の長手壁２２ｃに対して横方向に突出している。スライドレールアセンブリ２０は、第１のレール２２の長手壁２２ｃに取り付けられる（例えば固定される）固定ベース３５をさらに含み、ブロック構造３６が固定ベース３５に設けられていることが好ましい。
【００１７】
少なくとも１つの支持構造３４は長手方向に所定の長さを有し、第１のレール２２に設けられている。本実施形態では、スライドレールアセンブリ２０は、第１のレール２２の上壁２２ａ及び下壁２２ｂのそれぞれに隣接して配置されるとともに、第２のレール２４の２つの反対部分（例えば、第２のレール２４の上壁２４ａ及び下壁２４ｂ）をそれぞれ支持するように構成された２つの支持構造３４を含む。支持構造３４のそれぞれは、第１のレール２２の長手壁２２ｃの複数の対応部分５２に取り付けられるように構成された複数の取り付け部５０を有する。例えば、取り付け構造５０及び対応部分５２は凹（孔）凸構造の組み合わせであり得るが、本発明はそのような構成に限定されない。そのため、支持構造３４は第１のレール２２に取り付けることができる。固定ベース３５は、各支持構造３４の取り付け構造５０のうちの１つを押圧するように構成されている。他方、接続ベース４４は第１のレール２２の長手壁２２ｃに配置され、各支持構造３４の別の取り付け構造を押圧するように構成されている。そのため、第１のレール２２に取り付けられる各支持構造３４の安定性及び信頼性を高めることができる。
【００１８】
第１の作用部材３８、第２の作用部材４２及び弾性ベース４０は第２のレール２４に設けられている。第１の作用部材３８、第２の作用部材４２及び弾性ベース４０は第２のレール２４の長手壁２４ｃに設けられていることが好ましい（図５には第１の作用部材３８、第２の作用部材４２及び弾性ベース４０が図示されていないため、図４を参照されたい）。第１の作用部材３８及び第２の作用部材４２は第２のレール２４に接続されるように構成されている。第１の作用部材３８及び第２の作用部材４２は、第２のレール２４の２つの異なる位置にそれぞれ枢結されている。他方、弾性ベース４０は、第１の作用部材３８及び第２の作用部材４２を所定の状態で保持するために第１の作用部材３８及び第２の作用部材４２のそれぞれに弾性力を提供するように構成された第１の弾性部４０ａ及び第２の弾性部４０ｂを有する。スライドレールアセンブリ２０は、第１の作用部材３８及び第２の作用部材４２がもはや所定の状態になくなるようにユーザーがそれぞれ操作できるように構成された第１の操作部材５４及び第２の操作部材５６をさらに含むことが好ましい。そのような構成は当業者によく知られているため、係る構成については簡略化のためにさらなる説明を省略する。
【００１９】
図６に示すように、スライドレールアセンブリ２０の第２のレール２４は、第１のレール２２に対して引っ込め位置Ｒに位置する。第１の作用部材３８及び第２の作用部材４２は、弾性ベース４０の第１の弾性部４０ａ及び第２の弾性部４０ｂにより提供される弾性力によって所定の状態で（例えば第１の状態Ｓ１で）それぞれ保持されている。第１の作用部材３８（又は第２の作用部材４２）は、ブロック構造３６から離れた所定の距離を有する。さらに、図面の簡素化して第１の作用部材３８とブロック構造３６との相互作用（interaction）及び第２の作用部材４２とブロック構造３６との相互作用を明確に示すために、図６、図７、図８、図９及び図１０においては摺動支援装置３０及び係合部材３２を省略している。
【００２０】
図７、図８及び図９に示すように、第２のレール２４を第１のレール２２に対して引っ込め位置Ｒから第１の方向Ｄ１に沿って動かすプロセスの間、第２の作用部材４２は（図７に示すように）ブロック構造３６の第１の側と接触する。第２のレール２４が第１のレール２２に対して第１の方向Ｄ１に沿ってさらに動かされると、第２の作用部材４２はブロック構造３６と相互に作用し、第２の作用部材４２が所定の状態（例えば第１の状態Ｓ１）から別の状態（例えは図８に示す第２の状態）に偏向されてブロック構造３６の第１の側に渡る。その間、第２の弾性部４０ｂは弾性力を蓄積する状態にある。第２のレール２４が第１のレール２２に対して第１の方向Ｄ１に沿って開位置Ｅ（例えば（図９に示す）完全に開く位置）にさらに動かされると、第２の作用部材４２は第２の弾性部４０ｂの弾性力に反応して所定の状態（例えば第１の状態Ｓ１）に戻る。その間、第２の作用部材４２は（図９に示すように）ブロック構造３６の第２の側に位置する。他方、第１の作用部材３８は所定の状態（例えば第１の状態Ｓ１）にあり、ブロック構造３６の第１の側に位置する。第２のレール２４が第１のレール２２に対して（図９に示すように）開位置Ｅに位置する場合、第１の作用部材３８及び第２の作用部材４２は所定の状態（第１の状態Ｓ１）にあり、それぞれブロック構造３６の第１の側及び第２の側にあって、第２のレール２４が開位置Ｅから第１の方向Ｄ１又は第２の方向Ｄ２に沿って移動するのを防止するためにブロック構造３６によってブロックされる。
【００２１】
図９及び図１０に示すように、ユーザーが第２のレール２４を開位置Ｅから第１の方向Ｄ１又は第２の方向Ｄ２に沿って動かす場合、ユーザーは第１の作用部材３８又は第２の作用部材４２が所定の状態（第１の状態Ｓ１）じゃなくなるように操作できる。例えば、ユーザーは、第１の方向Ｄ１に沿って第１の操作部材５４に力を加えることができる。第１の操作部材５４の駆動部５４ａが第１の作用部材３８を駆動して所定の状態（第１の状態Ｓ１）から別の状態（例えば図１０に示す第２の状態）に偏向させて第２のレール２４をオープン位置Ｅから第１の方向Ｄ１に沿って第１のレール２２の通路２３の外にの外側に動かすことができる。具体的には、第２のレール２４は、（図１１に示すように）第１のレール２２の通路２３の通路入口２３ａを通じて第１のレール２２から取り外すことができる。さらに、第１の作用部材３８、第２の作用部材４２及び弾性ベース４０は図１１において省略されている。加えて、第２のレール２４を第１のレール２２に対して引っ込め位置Ｒから第１のレール２２の通路２３の外側に第１の方向Ｄ１に沿って動かすプロセスの間、摺動支援装置３０は第２のレール２４が第１の方向Ｄ１に沿って動くのに対応して係合部材３２の係合アーム３２ａの係合部３２ｂに隣接するように移動する。本実施形態では、摺動支援装置３０は係合部材３２の係合アーム３２ａの係合部３２ｂと係合するように動かされる。支持構造３４のそれぞれは、摺動支援装置３０が第１の方向Ｄ１に沿って動くのを防止するために、摺動支援装置３０の上側支持壁４６ａ及び下側支持壁４６ｂをブロックするように構成されている。
【００２２】
さらに、第２のレール２４が第１の方向Ｄ１に沿って動かされた場合、摺動支援装置３０は第２のレール２４の動きに反応して差動的に（differentially）第１の方向Ｄ１に沿って動かすことができるか又は摺動支援装置３０は第２のレール２４の一部により強制的に動かされる。摺動支援装置３０は、第２のレール２４の動きに反応して係合部材３２の係合アーム３２ａの係合部３２に隣接するように上記の２つの２つの構成に従って動かすことができる。
【００２３】
図１２に示すように、摺動支援装置３０は、係合部材３２の係合アーム３２ａの係合部３２ｂと係合する。接続ベース４４は、係合部材３２の係合アーム３２ａを支持するように構成された支持部４４ａを有することが好ましい。さらに、係合部材３２は、第１のレール２２の長手壁２２ｃの第１の領域Ａ１に配置される。例えば、第１の領域Ａ１の直径は係合部材３２の係合アーム３２ａの長さＫ２によって定義されるが、本発明は係る構成に限定されない。第１の領域Ａ１にはブロック構造３６は設けられていない。ブロック構造３６は第１のレール２２の長手壁２２ｃの第２の領域Ａ２に設けられる。第１の領域Ａ１及び第２の領域Ａ２は、第１のレール２２の長手方向に沿って所定の長手距離互いに離間している。第１の領域Ａ１は第２の領域Ａ２よりも通路２３の通路入口２３ａから離れており、第２の領域Ａ２は第１の領域Ａ１よりも通路２３の通路入口２３ａに近い。
【００２４】
図１２及び図１３に示すように、第２のレール２４を第１のレール２２の通路２３の外側から、第１のレール２２の通路入口２３ａを通じて第２の方向Ｄ２に沿って引っ込め位置Ｒの方に動かすプロセスの間、２つの支持構造３４は第２のレール２４の２つの部分（例えば上壁２４ａ及び下壁２４ｂ）をそれぞれ支持するように構成されている。支持構造３４のそれぞれは、第２のレール２４を支持するように構成された支持区画５８を含み、支持区画５８は第１の端部５８ａと、第１の端部５８ａの反対側の第２の端部５８ｂとを有する。第１の端部５８ａは第２の端部５８ｂよりも係合部材３２に近く、第２の端部５８ｂは第１の端部５８ａよりもブロック構造３６に近い。第２の端部５８ｂは係合部材３２を越えて（第２の方向Ｄ２と反対の）第１の方向Ｄ１に沿って所定の距離Ｙ伸長している。係合部材３２の係合アーム３２ａの係合部３２ｂは、第２の方向Ｄ２に沿って支持構造３４の支持区画５８の端部５８ａを越えて伸長していることが好ましい。具体的には、支持構造３４の支持区画５８の長さＬは、係合部材３２の係合アーム３２ａの長さよりの少なくとも２倍大きい。
【００２５】
支持構造３４のそれぞれはガイド部６０を含む。第２のレール２４が通路２３に入って第２の方向Ｄ２に沿って引っ込め位置Ｒの方向にさらに動かすのを支援するために、ガイド部６０は、第２のレール２４の後端部で上壁２４ａ又は下壁２４ｂをガイドして第１のレール２２の通路入口２３ａから第１のレール２２の通路２３に入るようにするよう構成された傾斜面又は弧面を有する。
【００２６】
とりわけ、第１のレール２２の通路入口２３ａから第２のレール２４を第１のレール２２の通路２３に入れて第２の方向Ｄ２に沿って引っ込め位置Ｒに動かすプロセスの間、支持構造３４の支持区画５８の第２の端部５８ｂは（第２の方向Ｄ２と反対の）第１の方向Ｄ１に沿って所定の距離Ｙ係合部材３２を越えて伸長しているため、長さＹを有する支持区画５８の伸長部分は、第１のレール２２の通路２３に入る第２のレール２４の安定性を改善するために第２のレール２４を支持するように構成されている。第２のレール２４は第１のレール２２の通路２３の十分奥まで安定して入ることができるため、第２のレール２４は、第２のレール２４が揺れたり、摺動支援装置３０に影響を与えたり（例えば摺動支援装置３０の前端部又は回転部材４８に影響を与えること等）するのを防止して摺動支援装置３０を保護できるように第２の方向Ｄ２に沿ってさらに安定して第１のレール２２の通路２３内を移動できる。
【００２７】
したがって、本発明のスライドレールアセンブリ２０は以下のように特徴付けることができる。
【００２８】
１）摺動支援装置３０に影響を与えることなく第２のレール２４を安定して支持することができる。
【００２９】
２）第２のレール２４の伸長距離を維持できるようにブロック構造３６は第１のレール２２の通路入口２３ａに隣接して設けられる。
【００３０】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００３１】
２０  スライドレールアセンブリ
２２  第１のレール
２４  第２のレール
３０  摺動支援装置
３２  係合部材
３４  少なくとも１つの支持構造
３６  ブロック構造
３８  第１の作用部材
４０  弾性ベース
４２  第２の作用部材
４４  接続ベース
４８  回転部材
５０  取り付け部材
５２  対応部分
５４  第１の操作部材
５６  第２の操作部材
５８  支持区画
６０  ガイド部
【図１】
2020039847.tif 000003
【図２】
2020039847.tif 000004
【図３】
2020039847.tif 000005
【図４】
2020039847.tif 000006
【図５】
2020039847.tif 000007
【図６】
2020039847.tif 000008
【図７】
2020039847.tif 000009
【図８】
2020039847.tif 000010
【図９】
2020039847.tif 000011
【図１０】
2020039847.tif 000012
【図１１】
2020039847.tif 000013
【図１２】
2020039847.tif 000014
【図１３】
2020039847.tif 000015